(57)【要約】 【課題】  視界を遮らずに前頭部の加熱を十分に行える頭髪加熱装置及び頭髪加熱方法を提供すること。【解決手段】  回転中心軸Ｌ１周りで湾曲したヒーターユニット２を揺動させることにより頭髪を加熱するための構成において、回転中心軸Ｌ１を頭部Ｈの前後方向に配向し、ヒーターユニット２の一端を後頭部Ｈ２側で回転中心軸Ｌ１周りに支持する。ヒーターユニット２の湾曲部の弦Ｌ２が回転中心軸Ｌ１に対し上向きに傾斜している。ヒーターユニット２のヒーター１０が線状のヒーター１０であり、当該ヒーター１０の折返し部をヒーターユニット２の他端側に位置させる。【選択図】    図１
2006075374.tif 000002
【特許請求の範囲】
【請求項１】
回転中心軸周りで湾曲したヒーターユニットを揺動させることにより頭髪を加熱するための頭髪加熱装置であって、
前記回転中心軸（Ｌ１）を頭部（Ｈ）の前後方向に配向し、
前記ヒーターユニット（２）の一端を後頭部側で前記回転中心軸（Ｌ１）周りに支持し、
前記ヒーターユニット（２）の他端を前記回転中心軸（Ｌ１）から離隔させたことを特徴とする頭髪加熱装置。
【請求項２】
前記ヒーターユニット（２）の湾曲部の弦（Ｌ２）が前記回転中心軸（Ｌ１）に対し上向きに傾斜していることを特徴とする請求項１記載の頭髪加熱装置。
【請求項３】
前記ヒーターユニット（２）のヒーター（１０）が線状のヒーター（１０）であり、当該ヒーター（１０）の折返し部を前記ヒーターユニット（２）の前記他端側に位置させたことを特徴とする請求項１又は２記載の頭髪加熱装置。
【請求項４】
前記ヒーターユニット（２）のヒーター（１０）が線状のヒーター（１０）であり、当該ヒーター（１０）の前記一端側を前記回転中心軸（Ｌ１）よりも下側に張り出させたことを特徴とする請求項１〜３のいずれかに記載の頭髪加熱装置。
【請求項５】
前記ヒーター（１０）の一端側部分が直線状であることを特徴とする請求項４に記載の頭髪加熱装置。
【請求項６】
前記ヒーターユニット（２）の揺動駆動装置が動力源と前記回転中心軸（Ｌ１）との間にウォームギヤ（３５）とウォームホイール（３７）とを備えていることを特徴とする請求項１〜５のいずれかに記載の頭髪加熱装置。
【請求項７】
前記ヒーターユニット（２）におけるヒーター（１０）の反射板（１４）にセラミック材料を用いたことを特徴とする請求項１〜６のいずれかに記載の頭髪加熱装置。
【請求項８】
請求項１〜７のいずれかに記載の頭髪加熱装置（１）を用いた頭髪加熱方法であって、前記回転中心軸（Ｌ１）を頭の前後方向に配向し、前記ヒーターユニット（２）を前記回転中心軸（Ｌ１）周りで揺動させることを特徴とする頭髪加熱方法。
【発明の詳細な説明】
【技術分野】
【０００１】
本発明は、頭髪加熱装置及び頭髪加熱方法に関する。さらに詳しくは、美容院等でパーマネントを頭髪に施す際、回転中心軸周りで湾曲したヒーターユニットを揺動させることにより頭髪を加熱するための頭髪加熱装置及び頭髪加熱方法に関する。
【背景技術】
【０００２】
頭髪加熱装置及び頭髪加熱方法に関する先行技術としては、例えば次の特許文献１、２に記載のものが知られている。
【特許文献１】特開平１０−１１３２１８号
【特許文献２】特開２００２−１２５７４５号
【０００３】
上記文献１に記載の図３記載の発明によれば、斜め前後方向に回転中心軸を配向した１個のヒーターユニットを揺動させ、頭髪の加熱を行っている。また、文献２記載の発明では、固定のヒーターユニットに対し、斜め前後方向に回転中心軸を配向した２個のヒーターユニットを揺動させ、頭髪の一加熱を行っている。
【０００４】
しかし、同先行技術によれば、いずれも回転中心軸を貫通する位置でヒーターユニットを回転させているので、ヒーターユニットの先端で視界が遮られる傾向にあった。また、前頭部はヒーターによる加熱を均一に行うことが望ましいが、上記構成によれば加熱が一部分に集中するか、視界が遮られることとなっていた。
【発明の開示】
【発明が解決しようとする課題】
【０００５】
かかる従来の実情に鑑みて、本発明の目的は、視界を遮らずに前頭部の加熱を十分に行える頭髪加熱装置及び頭髪加熱方法を提供することにある。
【課題を解決するための手段】
【０００６】
上記目的を達成するため、本発明に係る頭髪加熱装置及び頭髪加熱方法の特徴は、回転中心軸周りで湾曲したヒーターユニットを揺動させることにより頭髪を加熱するための構成において前記回転中心軸を頭部の前後方向に配向し、
前記ヒーターユニットの一端を後頭部側で前記回転中心軸周りに支持し、
前記ヒーターユニットの他端を前記回転中心軸から離隔させたことにある。
【０００７】
同特徴によれば、ヒーターユニットの他端を前記回転中心軸から離隔させてあるので、顔の部分を避けてヒーターユニットを揺動させることができる。
また、ヒーターユニットの湾曲部の弦が前記回転中心軸に対し上向きに傾斜するとよい。前頭部の軌跡が円弧軌道を描いて視界を遮らず後頭部を十分に加熱できるからである。
【０００８】
そして、ヒーターユニットのヒーターが線状のヒーターであり、当該ヒーターの折返し部を前記ヒーターユニットの前記他端側に位置させるとよい。前頭部、特に前髪部分を十分に加熱できるからである。
【０００９】
また、ヒーターユニットのヒーターが線状のヒーターであり、当該ヒーターの前記一端側を前記回転中心軸よりも下側に張り出させてもよい。これにより、後頭部、特に襟足部分の照射範囲を拡大し、熱放射密度も向上させ得るからである。回転軸近傍の「襟足部分」に関しても、赤外線照射密度が向上するために加熱特性が良好となる。この場合、ヒーターの一端側部分を直線状にするとよい。
【００１０】
さらに、ヒーターユニットの揺動駆動装置が動力源と前記回転中心軸との間にウォームギヤとウォームホイールとを備えていてもよい。ヒーターユニットが揺動の最高点を超えたときでも、ギヤのバックラッシュ等に起因するヒーターユニットのブレを抑制することができる。
【００１１】
また、ヒーターユニットにおけるヒーターの反射板にセラミック材料を用いてもよい。同特徴によれば、セラミック材料の遠赤外線輻射効果により、ヒーターの放熱効率を向上させることが可能となる。
【００１２】
一方、上記特徴に記載の頭髪加熱装置を用いた頭髪加熱方法の特徴は、前記回転中心軸を頭の前後方向に配向し、前記ヒーターユニットを前記回転中心軸周りで揺動させることにある。
【発明の効果】
【００１３】
上記本発明に係る頭髪加熱装置及び頭髪加熱方法の特徴によれば、ヒーターユニットの他端を回転中心軸から離隔させてあるので、顔の部分を避けてヒーターユニットを揺動させることができる。したがって、視界を遮らず、しかも、前頭部への対向部分を円弧状に揺動させて、前頭部を十分に加熱することが可能となった。
本発明の他の目的、構成及び効果については、以下の発明の実施の形態の項から明らかになるであろう。
【発明を実施するための最良の形態】
【００１４】
次に、適宜添付図面を参照しながら、本発明をさらに詳しく説明する。
図１、２に示すように、本発明に係る頭髪加熱装置１は、ヒーターユニット２，駆動ユニット３，上支柱４，下支柱５，台座６及びハンドル７を備えている。ヒーターユニット２は駆動ユニット３に回転中心軸Ｌ１周りで駆動回転自在に支持され、さらにヒーターユニット２の円弧部分における弦Ｌ２が回転中心軸Ｌ１に対し約３０度傾斜する姿勢となるように、このヒーターユニット２を形成してある。台座６にはキャスターが取り付けられてハンドル７で移動が可能であり、上支柱４，下支柱５間が伸長可能である。
【００１５】
ヒーターユニット２は頭部Ｈを囲むように湾曲されており、その湾曲に沿ってヒーター１０がヒーター中間部１０ｂ、ヒーター後部１０ｃでは平行になるように、そしてヒーター前部１０ａで折り返されるように設けられている。ヒーター前部１０ａと回転中心軸Ｌ１との間は解放され、ヒーターユニット２及びヒーター１０が回転中心軸Ｌ１周りで駆動回転しても、顔部Ｆの視界を遮らないように構成されている。また、熱量が必要な前頭部Ｈ１に対しヒーター前部１０ａで折り返されているので、十分な加熱が可能である。さらに、ヒーター後部１０ｃはヒーターユニット２の円弧部分から垂直に垂下され、回転中心軸Ｌ１周りで回転して襟足部Ｈ４にも十分な加熱が可能である。後頭部Ｈ２，頭頂部Ｈ３にはほぼ均等に加熱が可能なように湾曲が設定される。
【００１６】
ヒーター１０は図２に示すように揺動するのであるが、中間位置１０ｘ頭髪加熱装置１及び頭髪加熱方法位置が頭頂部Ｈ３に近く最も高い位置であり、左端位置１０ｙ、右端位置１０ｚが左右の限界位置である。左右の限界位置ＰＡ２，ＰＢ２に至る迄の限界前位置ＰＡ１，ＰＢ１において動力が遮断されて減速が開始し、左右の限界位置ＰＡ２，ＰＢ２で静止し、再び反対方向に揺動する。
【００１７】
図３，４に示すように、ヒーターユニット２は、外フレーム１１，内フレーム１２の内部に一対の反射板１４を設置し、さらに各反射板１４に対してヒーター１０を適宜位置でサポーター１５により間欠的に支持してなる。ヒーター１０は遠い赤外線ヒーター等を用いることができる。ヒーター１０はカバー１３に覆われている。反射板１４の内側にはセラミック層を形成してあり、反射により遠赤外線輻射効果をセラミック素材に応じて例えば３０％以上も高めることができる。
【００１８】
駆動ユニット３に収納された駆動機構３０は、図５〜７に示すように、駆動源であるモーター３３と、回転中心軸Ｌ１となる従動軸３６を回転させるギヤ機構とよりなる。ギヤ機構では、第一フレーム３１及び第二フレーム３２に従動軸３６を貫通支持し、この従動軸３６にモーター３３のモーター軸３４を直交させ、モーター軸３４に固定したウォームギヤ３５と従動軸３６に固定したウォームホイール３７とを噛み合わさせてある。従動軸３６は図示しないフレームを貫通し挟むように設けられた一対の固定ベアリング３６ａ，３６ｂで左右位置を規制してあり、ウォームホイール３７と第一フレーム３１及びモーター軸３４との相対位置を水平調整具３８によって調整可能である。また、ウォームギヤ３５の上下に配置されたモーターベアリング３４ａ，３４ｂを垂直固定具３９により押し上げることで、ウォームギヤ３５，ウォームホイール３７間のバックラッシュ等を低減させ、ギヤ機構のガタを防止してある。これにより、中間位置１０ｘを超えてヒーターユニット２が揺動する場合にヒーターユニット２が振動することを防いでいる。
【００１９】
図８に示すように、ヒーターユニット２の揺動を制御する駆動制御装置４０は、カム４１と光センサ４６と左右リミットスイッチ４８，４９とよりなる。カム４１は従動軸３６に固定され、左右リミットスイッチ４８，４９のローラー４８ａ，４９ａに接当する駆動部４２，左制限部４３，右制限部４４を備えている。光センサ４６は中央端４５を検出することにより、中間位置１０ｘと判定する。
【００２０】
駆動部４２にローラー４８ａ，４９ａの双方が接当している状態では、通常速度でモーター３３が回転する。左回転が進行してローラー４８ａが左制限部４３に接当を始めた場合は、左リミットスイッチ４８が切断され、モーター３３への電力が低減制御され、又は、絶たれ、ヒーターユニットの揺動が減速する。そして、一定時間後逆方向への揺動駆動力が伝達され、右揺動が行われる。右揺動における右リミットスイッチ及び右制限部４４の挙動は左揺動と同様である。このようにして、ヒーターユニット２の左右交互の揺動が左右端で減速され且つ最高位置の中央部でガタ付かず円滑に行われ、ギヤ機構にも不要なストレスを与えることがない。
【００２１】
最後に本発明の別実施形態について説明する。
上述の駆動機構３０ではモーター３３とギヤ機構を用いたが、クランク機構やピストン等を用いることも可能である。但し、装置の簡易さと動きのスムースさから、上記ウォームギヤ３５機構が優れている。
上記実施形態では、線状のヒーターを用いた。しかし、ヒーターの形状は様々なものを用いることができ、例えば面状ヒーターを用いてもよい。
【００２２】
上記実施形態では、符号１０ｂに示す半円弧状部分と符号１０ｃに示す直線部分とでヒーターユニット２を構成した。しかし、図９（ａ）に示すように、円弧１０ｂの接線方向から垂直に直線状部分１０ｃを垂下させるか、直線状部分１０ｃから円弧状部分１０ｂを開始することも可能である。但し、図９（ａ）では襟足部Ｈ４の加熱が不十分となり、図９（ｂ）では後頭部Ｈ２にヒーター１０が近接しすぎる恐れがあり、その点、図１の態様が優れている。
【産業上の利用可能性】
【００２３】
本発明は、パーマネント等を施す場合に使用する頭髪加熱装置及び頭髪加熱方法として利用することができる。
【図面の簡単な説明】
【００２４】
【図１】頭髪加熱装置の側面図である。
【図２】ヒーターと頭部との関係を示す正面図である。
【図３】ヒーターユニットの先端部を示す底面図である。
【図４】ヒーターユニットの断面図である。
【図５】ギヤ機構の側面図である。
【図６】ギヤ機構の正面図である。
【図７】ギヤ機構の平面図である。
【図８】駆動制御装置の正面図である。
【図９】ヒーターユニットの別実施形態を示す側面図である。
【符号の説明】
【００２５】
１：頭髪加熱装置、２：ヒーターユニット、３：駆動ユニット、４：上支柱、５：下支柱、６：台座、７：ハンドル、１０：ヒーター、１０ａ：ヒーター前部、１０ｂ：ヒーター中間部、１０ｃ：ヒーター後部、１０ｘ：中間位置、１０ｙ：左端位置、１０ｚ：右端位置、１１：外フレーム、１２：内フレーム、１３：カバー、１４：反射板、１５：サポーター、３０：駆動機構、３１：第一フレーム、３２：第二フレーム、３３：モーター、３４：モーター軸、３４ａ，ｂ：モーターベアリング、３５：ウォームギヤ、３６：従動軸、３６ａ，ｂ：固定ベアリング、３７：ウォームホイール、３８：水平調整具、３９：垂直固定具、４０：駆動制御装置、４１：カム、４２：駆動部、４３：左制限部、４４：右制限部、４５：中央端、４６：光センサ、４７：スイッチ台、４８：左リミットスイッチ、４８ａ：ローラー、４９：右リミットスイッチ、４９ａ：ローラー、Ｈ：頭部、Ｈ１：前頭部、Ｈ２：後頭部、Ｈ３：頭頂部、Ｈ４：襟足部、Ｆ：顔部、Ｌ１：回転中心軸、Ｌ２：弦
【図１】
2006075374.tif 000003
【図２】
2006075374.tif 000004
【図３】
2006075374.tif 000005
【図４】
2006075374.tif 000006
【図５】
2006075374.tif 000007
【図６】
2006075374.tif 000008
【図７】
2006075374.tif 000009
【図８】
2006075374.tif 000010
【図９】
2006075374.tif 000011